(57)【要約】【課題】複数台の放射線画像撮影装置や、放射線画像情報読取装置あるいは複数のプリンタが設置された医療センタ等において、医療従事者の業務を軽減するために、医用画像機器の機器情報を、医用画像機器の設置場所に行かなくても把握できるようにする。【解決手段】  放射線画像撮影装置１４等の医用画像装置の機器情報をワイヤレスで受信する携帯端末４０ａ〜４０ｇを備えているので、医用画像装置の設置場所に行かなくても、その携帯端末４０ａ〜４０ｇ上に機器情報を表示するようにしているので、医用画像機器の設置場所に行かなくても、医用画像機器の機器情報を把握することができる。【選択図】図１
2005087612.tif 000002
【特許請求の範囲】
【請求項１】
被写体の医用画像情報を得る医用画像装置と、
前記医用画像装置から、機器情報をワイヤレスで受信する携帯端末と
を備えることを特徴とする医用画像システム。
【請求項２】
請求項１記載の医用画像システムにおいて、
前記携帯端末は、表示器を有し、受信した機器情報を前記表示器上に表示する
ことを特徴とする医用画像システム。
【請求項３】
請求項１又は２記載の医用画像システムにおいて、
前記携帯端末は、前記医用画像装置に対して、ワイヤレスで制御情報を送信する
ことを特徴とする医用画像システム。
【請求項４】
請求項１〜３のいずれか１項に記載の医用画像システムにおいて、
前記携帯端末は、前記医用画像装置に端子を通じて着脱自由に装着され、前記医用画像装置に端子を通じて装着されているときには、機器情報の受信及び制御情報の送信を前記端子を通じて行う
ことを特徴とする医用画像システム。
【請求項５】
請求項１〜４のいずれか１項に記載の医用画像システムにおいて、
前記医用画像装置が、放射線医用画像装置である
ことを特徴とする医用画像システム。
【請求項６】
被写体の医用画像情報を得る医用画像装置と、
前記医用画像装置で得られた医用画像情報を可視化して出力する画像形成装置と、
前記医用画像装置又は前記画像形成装置から、機器情報をワイヤレスで受信する携帯端末と
を備えることを特徴とする医用画像システム。
【請求項７】
請求項６記載の医用画像システムにおいて、
前記携帯端末は、表示器を有し、受信した機器情報を前記表示器上に表示する
ことを特徴とする医用画像システム。
【請求項８】
請求項６又は７記載の医用画像システムにおいて、
前記携帯端末は、前記医用画像装置又は前記画像形成装置に対して、ワイヤレスで制御情報を送信する
ことを特徴とする医用画像システム。
【請求項９】
請求項６〜８のいずれか１項に記載の医用画像システムにおいて、
前記携帯端末は、前記医用画像装置及び前記画像形成装置の少なくともいずれか一方に端子を通じて着脱自由に装着され、前記医用画像装置又は前記画像形成装置に端子を通じて装着されているときには、機器情報の受信及び制御情報の送信を前記端子を通じて行う
ことを特徴とする医用画像システム。
【請求項１０】
請求項６〜９のいずれか１項に記載の医用画像システムにおいて、
前記医用画像装置が、放射線医用画像装置である
ことを特徴とする医用画像システム。
【請求項１１】
被写体の医用画像情報を得る医用画像装置から、機器情報をワイヤレスで受信する受信部と、
前記医用画像装置に対して着脱自由に構成され、前記医用画像装置に装着され端子を介して前記医用画像装置に電気的に接続されているときに、前記機器情報を前記端子を介して受信するインタフェースと、
受信した機器情報を表示する表示部と
を備えることを特徴とする携帯端末。
【請求項１２】
請求項１１記載の携帯端末において、
さらに、ワイヤレス送信部と、入力部とを備え、
前記入力部により入力された制御情報を、前記医用画像装置に装着されているときには、前記インタフェース及び前記端子を介して前記医用画像装置に送信し、前記医用画像装置に装着されていないときには、前記ワイヤレス送信部を介して前記医用画像装置に対して送信する
ことを特徴とする携帯端末。
【発明の詳細な説明】
【技術分野】
【０００１】
この発明は、例えば被写体の放射線画像情報を撮影する放射線画像撮影装置と、この放射線画像撮影装置で撮影された放射線画像情報を読み取る放射線画像情報読取装置と、この放射線画像情報読取装置により読み取った医用画像を可視化して出力する画像形成装置とを備える放射線医用画像システム等に適用して好適な医用画像システム及びこの医用画像システムに適用して好適な携帯端末に関する。
【背景技術】
【０００２】
従来から、医用画像機器の動作を制御しあるいは動作を表示する制御表示装置が、医用画像機器自体に操作パネル等として一体的に組み込まれている。
【０００３】
一方、医用画像機器自体に組み込まれている操作パネルからではなく、医用画像機器を遠隔メンテナンスするための制御表示装置が特許文献１に開示されている。この特許文献１に開示された技術では、超音波診断装置等の医用画像機器とコンピュータ端末とがＬＡＮ（Local Area Network）等のネットワークを介して接続され、医用画像機器のソフトウエアのアップグレードを制御表示装置としてのコンピュータ端末により行う。
【０００４】
また、医用画像機器を遠隔メンテナンスはしないが、医用画像を医用画像機器を除く装置上で表示する医用Ｘ線撮像装置が、特許文献２に開示されている。この特許文献２に開示された技術では、歯科医院内のレントゲン室でＸ線撮影装置により撮影したＸ線画像を、Ｘ線撮影装置に電気的に接続され患者治療用の椅子毎に設置されたコンピュータ端末に必要なときに呼び出して表示し観察できるような構成とされている。
【０００５】
さらに、このような医用画像機器には、医用画像をハードコピーのフイルム等に出力する画像形成装置が接続されている。この画像形成装置には、その動作状態を表示する表示パネルが設けられている。
【０００６】
【特許文献１】特開２００１−３２７４９７号公報
【特許文献２】特開平１０−６６６８７号公報
【発明の開示】
【発明が解決しようとする課題】
【０００７】
ところで、従来技術において、ユーザが医用画像機器の機器状態を把握するためには、医用画像機器自体の設置場所、あるいは、この医用画像機器に配線等により接続されたコンピュータ端末の設置場所に行かない限り、医用画像機器の状態を把握することができないという不便さがある。
【０００８】
また、医用画像機器に接続された画像形成装置において、例えば装填フイルムが切れた場合に表示パネル上にその旨が表示されたりブザーが鳴ったりするが、ユーザがプリンタの設置場所に行かないとその具体的な不具合が分からないという不便さがある。例えばフイルムが切れていることを表示パネル上で確認できた場合、画像形成装置の設置位置から、フイルムの保存室まで、フイルムを取りに行く必要がある等の不便さがある。
【０００９】
この発明は、このような課題を考慮してなされたものであり、医用画像機器の設置場所に行かなくても医用画像機器の機器情報を把握することを可能とする医用画像システム及び携帯端末を提供することを目的とする。
【００１０】
また、この発明は、医用画像装置で得られた医用画像情報を可視化して出力する画像形成装置の設置場所に行かなくても画像形成装置の機器情報を把握することを可能とする医用画像システム及び携帯端末を提供することを目的とする。
【課題を解決するための手段】
【００１１】
この発明に係る医用画像システムは、被写体の医用画像情報を得る医用画像装置と、前記医用画像装置から、機器情報をワイヤレスで受信する携帯端末とを備えることを特徴とする（請求項１記載の発明）。
【００１２】
この発明によれば、医用画像装置の機器情報をワイヤレスで受信する携帯端末を備えているので、医用画像装置の設置場所に行かなくても、医用画像装置の機器情報を把握することができる。
【００１３】
携帯端末には、表示器を設け、受信した機器情報を表示器上に表示するようにすることが好ましい（請求項２記載の発明）。
【００１４】
また、携帯端末は、機器情報を受信するだけではなく、医用画像装置に対して、ワイヤレスで制御情報を送信できることが好ましい（請求項３記載の発明）。
【００１５】
さらに、携帯端末は、医用画像装置に端子を通じて着脱自由に装着されるように構成することが好ましい。この場合、前記医用画像装置に前記端子を通じて装着されているときには、機器情報の受信及び制御情報の送信を前記端子を通じて行うようにする（請求項４記載の発明）。
【００１６】
この発明は、医用画像装置として、放射線医用画像装置に適用することができる（請求項５記載の発明）。
【００１７】
この発明に係る医用画像システムは、被写体の医用画像情報を得る医用画像装置と、前記医用画像装置で得られた医用画像情報を可視化して出力する画像形成装置と、前記医用画像装置又は前記画像形成装置から、機器情報をワイヤレスで受信する携帯端末とを備えることを特徴とする（請求項６記載の発明）。
【００１８】
この発明によれば、医用画像装置又は画像形成装置からの機器情報をワイヤレスで受信する携帯端末を備えているので、医用画像装置の設置場所あるいは画像形成装置の設置場所に行かなくても、医用画像装置あるいは画像形成装置の機器情報を把握することができる。
【００１９】
携帯端末に、表示器を設け、受信した機器情報を表示器上に表示するようにすることが好ましい（請求項７記載の発明）。
【００２０】
また、携帯端末は、機器情報を受信するだけではなく、医用画像装置又は画像形成装置に対して、ワイヤレスで制御情報を送信できることが好ましい（請求項８記載の発明）。
【００２１】
さらに、携帯端末は、医用画像装置及び画像形成装置の少なくともいずれか一方に端子を通じて着脱自由に装着されるように構成することが好ましい。この場合、前記医用画像装置又は前記画像形成装置に前記端子を通じて装着されているときには、機器情報の受信及び制御情報の送信を前記端子を通じて行うようにする（請求項９記載の発明）。
【００２２】
この発明は、医用画像装置として、放射線医用画像装置に適用することができる（請求項１０記載の発明）。
【００２３】
なお、放射線医用画像装置としては、Ｘ線ＣＴ（Computed Tomography）装置、ＭＲＩ（Magnetic Resonance Imaging）装置、ＣＲ（Computed  Radiography）装置等があるが、医用画像装置としては、超音波診断装置があり、この発明はいずれにも適用することができる。
【００２４】
この発明の携帯端末は、被写体の医用画像情報を得る医用画像装置から、機器情報をワイヤレスで受信する受信部と、前記医用画像装置に対して着脱自由に構成され、前記医用画像装置に装着され端子を介して前記医用画像装置に電気的に接続されているときに、前記機器情報を前記端子を介して受信するインタフェースと、受信した機器情報を表示する表示部とを備えることを特徴とする（請求項１１記載の発明）。
【００２５】
この発明によれば、医用画像装置に対して、携帯端末が装着されているかどうかにかかわらず、携帯端末上に機器情報を確認することができる。
【００２６】
この場合、携帯端末に対して、さらに、ワイヤレス送信部と、入力部とを備え、前記入力部により入力された制御情報を、前記医用画像装置に装着されているときには、前記インタフェース及び前記端子を介して前記医用画像装置に送信し、前記医用画像装置に装着されていないときには、前記ワイヤレス送信部を介して前記医用画像装置に対して送信することにより、携帯端末が医用画像装置に対して装着されているかどうかにかかわらず、制御情報を送信することができる（請求項１２記載の発明）。
【発明の効果】
【００２７】
この発明によれば、医用画像装置又は画像形成装置から、現在の機器情報をワイヤレスで受信する携帯端末を備えているので、医用画像装置の設置場所あるいは画像形成装置の設置場所に行かなくても、医用画像装置あるいは画像形成装置の機器情報を把握することができる。
【００２８】
また、携帯端末は、機器情報をワイヤレスで受信するだけではなく、医用画像装置又は画像形成装置に対して、ワイヤレスで制御情報を送信することにより、機器情報に対応した措置を、携帯端末の所持者が遠隔操作で行うことができる。
【００２９】
携帯端末を医用画像装置に装着しておくことで、ワイヤレスではなく、端子を介して機器情報の受信又は制御情報の送信を行うことができる。
【発明を実施するための最良の形態】
【００３０】
図１は、この実施形態に係る医用画像システム１０の模式的な構成例を示している。
【００３１】
このような医用画像システム１０は、例えば総合病院、大学病院あるいは健康保険センタ等に導入される。
【００３２】
図２は、医用画像システム１０のブロック図を示している。
【００３３】
図１及び図２において、この医用画像システム１０は、基本的には、被写体１２の検査部位（撮影部位）の放射線画像を蓄積性蛍光体シートＩＰに蓄積記録して撮影する放射線画像撮影装置（ＣＲ装置）１４と、蓄積性蛍光体シートＩＰに蓄積記録された放射線画像情報を読み取る放射線画像情報読取装置１６と、読み取った放射線画像情報を画像処理して表示器（画像形成装置）５６に検査部位の診断画像として可視化して表示するデータ処理装置５８と、診断画像をハードコピーとして出力するプリンタ（画像形成装置）６０とから構成される。
【００３４】
なお、蓄積性蛍光体シートＩＰとは、放射線（Ｘ線、α線、β線、γ線、電子線、紫外線等）が照射されると、この放射線エネルギの一部が蓄積され、その後、可視光やレーザ光等の励起光を照射すると、蓄積されたエネルギ強度に応じて輝尽発光を示す蓄積性蛍光体（輝尽性蛍光体）を利用したシート体であり、樹脂製のベース層上に放射線画像記録層としての蓄積性蛍光体層が設けられた構造を有している。この蓄積性蛍光体シートＩＰは、遮光性のあるカセッテ３０に収納されて取り扱われる。
【００３５】
医用画像システム１０は、さらに、検査情報をデータとして記録し管理するサーバ６４と、サーバ６４に被写体１２である患者の登録情報を入力する端末５１と、放射線画像撮影装置１４や放射線画像情報読取装置１６等の医用画像装置を使用する際に、サーバ６４に登録された登録情報を検査情報として受信し、自身の表示器あるいは磁気カード（不図示）等に出力可能な端末５０とを備える。
【００３６】
端末５０、５１及びデータ処理装置５８は、パーソナルコンピュータ等により構成される。
【００３７】
これらの構成要素は、ＬＡＮ（Local Area Network）等の通信回線６２により相互に接続されている。
【００３８】
また、放射線画像撮影装置１４、放射線画像情報読取装置１６、及びプリンタ６０、データ処理装置５８、端末５０、５１には、それぞれクレードル５４ａ〜５４ｆに対して脱着自由に携帯端末４０ａ〜４０ｆが装着されている。なお、交流電源に接続されたクレードル５４ｇにも、着脱自由に携帯端末４０ｇが装着されている。携帯端末４０ａ〜４０ｇは、ユーザがクレードル５４ａ〜５４ｇから取り外して携帯することが可能であり、携帯中に使用することもできる。
【００３９】
図３は、携帯端末４０ａ〜４０ｇの電気回路のブロック構成を示している。図４は、クレードル５４ａ〜５４ｇの電気回路のブロック構成を示している。
【００４０】
携帯端末４０ａ〜４０ｇは、手のひら程度の大きさのＰＤＡ（Personal Digital Assistant）的形状を有しているが、この実施形態では、それぞれＩＤ（例えば、電話番号）を有する携帯電話的に機能している。ＩＤを持たせても持たせなくても、共用使用（例えば携帯端末４０ａをクレードル４０ｂに装着して使用）することが可能である。
【００４１】
携帯端末４０ａ〜４０ｇは、ワイヤレスでの送受信を可能にするための電波送受信用のアンテナ２０２と、このアンテナ２０２に接続されるアンテナ共用器２０４と、受信した電波を復調してベースバンド信号にもどす受信部２０６と、送信用のベースバンド信号を高周波に変換する送信部２０８と、クレードル５４ａ〜５４ｇのデータ送受信用の通信インタフェース端子３１１に接続されるデータ送受信用の通信インタフェース端子２１１と、通信インタフェース端子２１１に接続される通信インタフェース２２０と、液晶表示器等からなる表示部２２２と、スピーカとマイクからなる音声入出力部２２４と、ジョイステックキーやプッシュボタンからなる入力部としての操作部２２６を有する。
【００４２】
この実施形態において、携帯端末４０ａ〜４０ｇを構成するアンテナ２０２とアンテナ共用器２０４と受信部２０６は、ワイヤレス受信部を構成し、アンテナ２０２とアンテナ共用器２０４と送信部２０８は、ワイヤレス送信部を構成する。
【００４３】
携帯端末４０ａ〜４０ｇは、さらに、クレードル５４ａ〜５４ｇの電源端子３１３に接続可能な電源端子２１３と、この電源端子２１３に接続されるバッテリを有する電源部２２８と、これらの構成要素に接続され動作を制御するＣＰＵを有するマイクロコンピュータ等の制御部２３０とを備える。
【００４４】
なお、病院内には、携帯端末４０ａ〜４０ｇの電波を中継するとともに携帯端末４０ａ〜４０ｇの存在位置を検出することの可能な基地局（不図示）が適宜設けられている。なお、携帯端末４０ａ〜４０ｇによりアンテナ２０２あるいは通信インタフェース２２０を利用して送受信可能なデータは、音声データ、画像データ、制御データ等の各種データである。
【００４５】
図４に示すように、クレードル５４ａ〜５４ｇは、ＡＣ電源あるいは放射線画像情報読取装置１６等から供給される直流電源を携帯端末４０ａ〜４０ｇの電源用電圧に変換して、携帯端末４０ａ〜４０ｇの電源部２２８のバッテリの充電を行う充電器３２０と、放射線画像情報読取装置１６等に接続される通信インタフェース端子３１２と、通信インタフェース端子３１２と通信インタフェース端子３１１との間に接続される通信インタフェース３２２と、電源ランプ等の表示部３２４と、充電器３２と通信インタフェース３２２と表示部３２４とに接続され、これらの動作を制御するＣＰＵを有するマイクロコンピュータ等の制御部３３０とから構成されている。
【００４６】
図５に模式的に示すように、携帯端末４０ａ〜４０ｇは、クレードル５４ａ〜５４ｇに脱着自由である。実際上、電源端子３１３、２１３、及び通信インタフェース端子３１１、３１２は、それぞれ複数の端子から構成されているが、繁雑になるので、それぞれ１個の端子として描いている。また、携帯端末４０ａ〜４０ｇ及びクレードル５４ａ〜５４ｇの内部には、図示はしていないが、各種電子部品を搭載したプリント配線基板が取り付けられている。
【００４７】
さらに、例えば放射線画像情報読取装置１６のクレードル５４ｂは、図１に示すように、筐体８０に一体的な構成とされ、データ処理装置５８のクレードル５４ｄは、分離型の構成とされている。なお、上述したように、携帯端末４０ａ〜４０ｇとクレードル５４ａ〜５４ｇは、放射線画像情報読取装置１６等、各装置に対して共用可能であり、間欠的に送受信を行い、全ての携帯端末４０ａ〜４０ｇで各装置の機器情報を得ることができるようになっている。携帯端末４０ａ〜４０ｇの現在の装着位置や制御部２３０を構成する書換可能なＲＯＭ（ＥＥＰＲＯＭ）への内容の記録状態は、この実施形態では、サーバ６４とサーバの端末５１が管理している。
【００４８】
この実施形態において、携帯端末４０ａ〜４０ｇが、放射線画像情報読取装置１６のクレードル５４ｂ等、クレードル５４ａ〜５４ｇに装着されているときには、各機器情報の受信及び制御情報（制御命令）の受信は、通信インタフェース端子２１１を通じて行われ、携帯端末４０ａ〜４０ｇがクレードル５４ａ〜５４ｇに装着されていないときには、アンテナ２０２を通じてワイヤレスで各機器情報、制御情報の送受信が基地局（不図示）を通じて行われる。
【００４９】
そして、携帯端末４０ａ〜４０ｇは、受信した機器情報を表示部２２２上にリアルタイムで表示することができる。
【００５０】
なお、この実施形態においては、携帯端末４０ａ〜４０ｇのワイヤレス通信手段として、携帯電話のシステムを利用しているが、医用画像システム１０自体あるいは、似たような構成の医用画像システムが、例えば、大きな広い見通しのよい１つの部屋、あるいはバス等の中に設置される場合には、携帯電話で用いられるＵＨＦ帯の電波に代替して、赤外線通信、あるいはＬＦ帯の電波をワイヤレス通信手段に用いることができる。
【００５１】
図１に示すように、放射線画像撮影装置１４は、支持台１７に設けられた支柱１８に昇降可能な状態で支持される本体部２０と、一部省略して描いた支持部材２２により昇降・旋回可能に支持される放射線源２４とを備える。
【００５２】
本体部２０の前部には、放射線源２４から被写体１２を通じて照射されるＸ線の線量を計測して照射量を制御するフォトタイマ（不図示）を介して蓄積性蛍光体シートＩＰを収納するカセッテ３０が装着される。
【００５３】
図６は、蓄積性蛍光体シートＩＰが収納された状態のカセッテ３０の斜視図を示している。
【００５４】
カセッテ３０は、バーコード３６Ａ、３６Ｂが取り付けられた蓄積性蛍光体シートＩＰを遮光して収納するものであり、薄いケース３３と、このケース３３に設けられた蓄積性蛍光体シートＩＰの出し入れ用の開口部３４を開閉する蓋体３８と、ケース３３の裏側に取り付けられたバーコード３６Ｃとを有している。
【００５５】
蓄積性蛍光体シートＩＰの対角線上にバーコード３６Ａとバーコード３６Ｂの２つを設けているのは、カセッテ３０の開口部３４に対して蓄積性蛍光体シートＩＰをどちらから挿入しても、後述する後工程で、どちらかのバーコード３６Ａ、３６Ｂから内容を読み取ることができるようにするためである。
【００５６】
なお、バーコード３６Ａ〜３６Ｃには、蓄積性蛍光体シートＩＰの型（片面読取型か両面読取型か通常画素密度用か高画素密度用か通常鮮鋭度用か高鮮鋭度用か等）、サイズ（半切、大角、四切、六切、２４×３０ｃｍマンモグラフィ用、半切×２等の長尺用等）、製造年月日、製造ロット番号、及び蓄積性蛍光体シートＩＰ毎の固有番号等が記録されている。
【００５７】
図７は、医用画像システム１０を構成する放射線画像情報読取装置１６の内部構成を示す。この放射線画像情報読取装置１６を構成する筐体８０の上部には、操作及びモニタの機能を有する操作パネル８２が設けられ、操作パネル８２の上方にクレードル５４ｂが設けられている。このクレードル５４ｂには、携帯端末４０ｂが脱着自由に装着されている。
【００５８】
操作パネル８２の下方には、複数、例えば、４つのカセッテ３０を装填可能なカセッテ装填ユニット８４ａ〜８４ｄが設けられる。カセッテ３０には、上述したように、蓄積性蛍光体シートＩＰが収納される。
【００５９】
各カセッテ装填ユニット８４ａ〜８４ｄは、同一の構成からなり、放射線画像情報読取装置１６に対して独立に組み付けることができる。
【００６０】
各カセッテ装填ユニット８４ａ〜８４ｄの側部には、図１に示すように、カセッテ３０の状態を示すカセッテ状態表示部８６ａ〜８６ｄが配設される。カセッテ状態表示部８６ａ〜８６ｄは、カセッテ３０が装填可能であることを示すカセッテ装填可ランプと、カセッテ３０から取り出された蓄積性蛍光体シートＩＰが処理中であることを示すカセッテ処理中ランプと、点滅によってカセッテ３０が取出可能であることを示すカセッテ取出可ランプとを有する。なお、最上段のカセッテ状態表示部８６ａの側部には、放射線画像情報読取装置１６の電源スイッチ８８が配設される。
【００６１】
カセッテ装填ユニット８４ａ〜８４ｄの内部には、カセッテ３０が装填されたことを検出するカセッテセンサ９０ａ〜９０ｄと、カセッテ３０に収容される蓄積性蛍光体シートＩＰが片面読取型であるか、あるいは、両面読取型であるかといった型情報等の識別情報をカセッテ３０のバーコード３６Ｃから読み取るバーコードリーダ９２ａ〜９２ｄとが配設される。
【００６２】
また、カセッテ装填ユニット８４ａ〜８４ｄには、それぞれ、カセッテ３０を載せて配置するための支持台９４が設けられるとともに、筐体８０の内部を遮光するためのシャッタ部材９６が開閉自由に配置される。さらに、各カセッテ装填ユニット８４ａ〜８４ｄの内部には、カセッテ３０から蓄積性蛍光体シートＩＰを取り出す吸着盤９８ａ〜９８ｄを備えた枚葉部１００が配設される。
【００６３】
枚葉部１００には、蓄積性蛍光体シートＩＰを搬送するメイン搬送路（シート搬送ユニット）１０２が連結して設けられる。メイン搬送路１０２は、枚葉部１００から下方向に延びて存在した後、筐体８０の下部において湾曲し、水平方向に延びて読取搬送路１０４に至る。メイン搬送路１０２の湾曲する部位には、蓄積性蛍光体シートＩＰの幅方向のサイズ情報を読み取るサイズセンサ（不図示）と、蓄積性蛍光体シートＩＰの型情報等の蓄積性蛍光体シート固有情報に係る識別情報を蓄積性蛍光体シートＩＰのバーコード３６Ａ、３６Ｂから読み取るバーコードリーダ５２が設けられる。
【００６４】
なお、読取搬送路１０４を構成する第１及び第２ローラ対１０６、１０８は、蓄積性蛍光体シートＩＰを挟んで矢印Ｙ方向（図７参照）に副走査搬送する。
【００６５】
読取搬送路１０４は、湾曲して上方向に延びて存在した後、水平方向に延びて退避搬送路１０７に連結して設けられる。また、退避搬送路１０７には、蓄積性蛍光体シートＩＰが搬送方向を反転され、図示しないパス切換ガイドを介して搬送される消去搬送路１０９が連結して設けられる。消去搬送路１０９は、メイン搬送路１０２に連結して設けられており、退避搬送路１０７から搬送された蓄積性蛍光体シートＩＰをメイン搬送路１０２にもどす。
【００６６】
上方向に湾曲する読取搬送路１０４の内周側上部には、励起光であるレーザビームＬを蓄積性蛍光体シートＩＰの主方向に走査するスキャナ１１０と、レーザビームＬが照射されることで蓄積性蛍光体シートＩＰから得られた放射線画像情報を含む輝尽発光光を読み取る上部読取ユニット（表面読取ユニット）１１２が設けられる。また、読取搬送路１０４の外周側下部には、蓄積性蛍光体シートＩＰを透過した輝尽発光光を読み取る下部読取ユニット（裏面読取ユニット）１１４が設けられる。
【００６７】
上部読取ユニット１１２は、下端部の入射面が第１及び第２ローラ対１０６、１０８間に近接して配置されるアクリル板等の透明体からなる集光ガイド１１６と、集光ガイド１１６の上端部の出射面に接続されるフォトマルチプライア等からなる光電変換器１１８とから構成される。なお、集光ガイド１１６の入射面に近接して、輝尽発光光を入射面に効率的に導くため、集光ミラー１１９が配設される。集光ミラー１１９は、一部がハーフミラーとなっており、その部位には、蓄積性蛍光体シートＩＰによる反射光を受光することで、蓄積性蛍光体シートＩＰの先端位置及び後端位置を検出する位置検出センサ１２０が配設される。光電変換器１１８は、集光ガイド１１６を介して導入された輝尽発光光を電気信号に変換する。
【００６８】
下部読取ユニット１１４は、アクリル板等の透明体からなる集光ガイド１２２と、フォトマルチプライア等からなる光電変換器１２４とからなり、放射線画像情報読取装置１６に対して着脱可能に構成される。集光ガイド１２２は、蓄積性蛍光体シートＩＰを透過した輝尽発光光を集光して光電変換器１２４に導く。
【００６９】
スキャナ１１０は、筐体１２６によって保持され、その内部には、レーザビームＬを出力する後述するレーザ光源、及び、レーザビームＬを主方向に偏向する後述するポリゴンミラー（不図示）を含む走査光学系が収容される。
【００７０】
退避搬送路１０７と消去搬送路１０９との間には、電源部１２８と、放射線画像情報の読み取られた蓄積性蛍光体シートＩＰに残存する放射線エネルギを消去する消去ユニット１３０とが配設される。消去ユニット１３０は、ケース１３２内に消去光Ｑを出力する冷陰極蛍光管等からなる複数の消去光源１３４を収容して構成される。なお、消去光Ｑの出射部位には、耐熱性の高いポリカーボネートからなるフィルタが設けられる。
【００７１】
なお、放射線画像情報読取装置１６には、ＣＰＵを有する制御部１４０が設けられ、制御部１４０内にスキャナ制御機能、搬送制御機能、画像処理・出力機能、及び携帯端末４０ａ〜４０ｇの制御機能等がプログラムとして組み込まれている。
【００７２】
この実施形態に係る医用画像システム１０は、基本的には、以上のように構成されるものであり、次に、その動作について、来院した患者を医者が診察し、撮影技師が診断画像（検査画像）を撮影し、撮影した診断画像のハードコピーをプリンタ６０を利用して得るまでの過程を例として説明する。
【００７３】
まず、患者は病院で受け付けした後、診察室に行き、医師が患者を診断し処方する。医師により患部の画像撮影が必要と判断されたとき、その旨が記載されたカルテが、端末５１のオペレータに渡される。
【００７４】
オペレータは、カルテの記載を見ながら受付番号、患者名、患者ＩＤ（患者識別番号）、性別、生年月日、身長・体重、血液型、診療科、検査部位、撮影技師名、検査年月日等の検査情報を端末５１の入力装置を使用してデータとして入力する。
【００７５】
端末５１に入力された検査情報データは、通信回線６２を介してサーバ６４に記録され登録される。
【００７６】
放射線画像撮影装置１４が設置してある部屋（撮影室）に患者が到着すると、撮影技師は、放射線画像撮影装置１４の近くに設置されている端末５０に受付番号と患者名あるいは患者ＩＤを入力することで、サーバ６４に記録されている上述した検査情報データが参照され、該当する検査情報データが、端末５０の表示器上に表示される。
【００７７】
撮影技師は、端末５０の表示器上の画面と、上記のカルテ、及び撮影室内にいる患者等を対照しながら、端末５０を使用して手入力により、必要な検査情報データを放射線画像撮影装置１４に入力する。
【００７８】
次に、撮影技師は、蓄積性蛍光体シートＩＰが収納されたカセッテ３０が本体部２０に装着された放射線画像撮影装置１４において、患者である被写体１２の検査部位（撮影部位）に応じて支柱１８に沿って本体部２０を上下動作させ、かつ放射線源２４の位置を調整する。
【００７９】
次いで、放射線源２４を起動し、Ｘ線を被写体１２に照射する。被写体１２を透過したＸ線がカセッテ３０を通過して蓄積性蛍光体シートＩＰに照射されることにより、被写体１２の放射線画像が蓄積性蛍光体シートＩＰに記録される。
【００８０】
被写体１２の放射線画像が蓄積性蛍光体シートＩＰに記録されたとき、カセッテ３０又は蓄積性蛍光体シートＩＰのバーコード３６Ａ〜３６Ｃの識別情報と上記検査情報データが対応づけられて通信回線６２を介して放射線画像情報読取装置１６に転送される。
【００８１】
このようにして撮影が終了し、カセッテ３０が放射線画像撮影装置１４の本体部２０から取り出される。
【００８２】
ここで、本体部２０上のクレードル５４ａに装着されている携帯端末４０ａの表示部２２２上の表示について説明すると、図８に示すように、本体部２０にカセッテ３０が装着されていないときには、「カセッテなし」の表示が点灯し（アクティブとされ）、装着されているときには、「カセッテあり」の表示が点灯する。また、放射線源２４からＸ線が照射されているとき、「撮影中」表示が点灯し、照射終了時には、「撮影終了」の表示が点灯する。また、入力された「患者ＩＤ」と「患者名」が表示されている。これらの表示は、他の携帯端末４０ｂ〜４０ｇにより確認することが可能である。
【００８３】
また、放射線画像撮影装置１４が、同一病院内に３台ある場合には、端末５０に接続されているクレードル５４ｅに装着されている携帯端末４０ｅの表示部２２２の画面上で、図９に示すように、番号が「１」、「２」、「３」と付与された各放射線画像撮影装置１４が「使用中」であるか「使用可」であるかを確認することができる。
【００８４】
撮影が終了し、本体部２０から取り出されたカセッテ３０は、放射線画像情報読取装置１６の設置場所まで運搬され、放射線画像情報読取装置１６のカセッテ状態表示部８６ａ〜８６ｄ中、カセッテ装填可ランプが点灯しているカセッテ装填ユニット８４ａ〜８４ｄに装填される。
【００８５】
カセッテ３０が装填されたカセッテ装填ユニット８４ａ〜８４ｄのカセッテセンサ９０ａ〜９０ｄがカセッテ３０を検知する。このとき、制御部１４０は、カセッテ３０が装填されたカセッテ装填ユニット８４ａ〜８４ｄのカセッテ装填可ランプを消灯する一方、カセッテ処理中ランプを点灯し、カセッテ３０に対する処理が実行中であることをユーザに知らせる。
【００８６】
また、カセッテ３０が装填されると、カセッテ装填ユニット８４ａ〜８４ｄに設けられたバーコードリーダ９２ａ〜９２ｄがカセッテ３０に取り付けられたバーコード３６Ｃに記録された識別情報データを読み込み、収納されている蓄積性蛍光体シートＩＰが両面読取型であるか、片面読取型であるかを示す蓄積性蛍光体シートＩＰの型情報及び蓄積性蛍光体シートＩＰの識別情報を取得する。
【００８７】
一方、カセッテ装填ユニット８４ａ〜８４ｄに装填されたカセッテ３０は、カセッテ３０の位置を固定する機構によってその位置が固定された後、カセッテ３０の蓋体３８が開かれ、枚葉部１００を構成する吸着盤９８ａ〜９８ｄによって蓄積性蛍光体シートＩＰがカセッテ３０から枚葉される。枚葉された蓄積性蛍光体シートＩＰは、メイン搬送路１０２によって搬送され、読取搬送路１０４の直前の湾曲部分において、蓄積性蛍光体シートＩＰの幅寄せ処理が行われる。また、メイン搬送路１０２に設けられたバーコードリーダ５２により、蓄積性蛍光体シートＩＰのバーコード３６Ａ、３６Ｂに記録された型情報等の識別情報を読み取り、蓄積性蛍光体シートＩＰの型情報が取得される。
【００８８】
このようにして取得した型情報、サイズ情報等の識別情報に基づき、制御部１４０は、蓄積性蛍光体シートＩＰを主走査及び副走査するための走査条件を設定する。
【００８９】
例えば、読取画素密度に応じて、スキャナ１１０を構成するポリゴンモータ（不図示）の回転速度、読取搬送路１０４における第１及び第２ローラ対１０６、１０８の回転速度、上部読取ユニット１１２及び下部読取ユニット１１４における放射線画像情報のサンプリングタイム等が走査条件として設定される。
【００９０】
次いで、制御部１４０はスキャナ１１０を構成するレーザ光源（不図示）を起動する。また、光電変換器１１８及び１２４に高電圧を供給する。
【００９１】
読取搬送路１０４は、蓄積性蛍光体シートＩＰを第１及び第２ローラ対１０６、１０８によって挟んで保持し、設定した走査条件に従った速度で図７に示す矢印Ｙ方向である副方向に搬送する。一方、読取搬送路１０４の上部に配設されたスキャナ１１０は、レーザ光源（不図示）から出力されたレーザビームＬをポリゴンミラー（不図示）により偏向し、蓄積性蛍光体シートＩＰを主方向に走査する。
【００９２】
このとき、矢印Ｙ方向に搬送された蓄積性蛍光体シートＩＰの先端部にレーザビームＬが照射され、その反射光が集光ミラー１１９に装着された位置検出センサ１２０に入射することにより、蓄積性蛍光体シートＩＰの先端位置を検出する。
【００９３】
先端位置が検出された後、蓄積性蛍光体シートＩＰの放射線画像情報の読み取りが開始される。
【００９４】
すなわち、レーザビームＬが照射された蓄積性蛍光体シートＩＰは、放射線画像情報を含む輝尽発光光を出力する。蓄積性蛍光体シートＩＰの上面側（蓄積性蛍光体層４０ｂ）から出力された輝尽発光光は、上部読取ユニット１１２を構成する集光ガイド１１６の入射面に直接入射し、あるいは、集光ミラー１１９によって反射されて入射面に入射した後、出射面から光電変換器１１８に導かれ、電気信号に変換される。また、蓄積性蛍光体シートＩＰを透過して下面側（ベース層４０ａ側）に出力された輝尽発光光は、下部読取ユニット１１４を構成する集光ガイド１２２の入射面に入射した後、出射面から光電変換器１２４に導かれ、電気信号に変換される。
【００９５】
光電変換器１１８によって電気信号に変換された放射線画像情報は、スキャナ１１０や上部読取ユニット１１２のシェーディング補正、蓄積性蛍光体シートＩＰの感度補正等の補正処理が行われた後、Ａ／Ｄ変換器（不図示）によってデジタル信号に変換され、同様に、光電変換器１２４によって電気信号に変換された放射線画像情報は、補正処理が行われた後、Ａ／Ｄ変換器（不図示）によってデジタル信号に変換され、デジタル信号同士が加算される。
【００９６】
蓄積性蛍光体シートＩＰが矢印Ｙ方向に所定量搬送され、後端部がレーザビームＬの走査位置を通過すると、蓄積性蛍光体シートＩＰによる反射光が位置検出センサ１２０に入射しなくなるため、この結果から蓄積性蛍光体シートＩＰの後端位置が検出される。
【００９７】
後端位置が検出された蓄積性蛍光体シートＩＰは、読取搬送路１０４から一旦退避搬送路１０７に搬送された後、搬送方向が反転されて消去搬送路１０９に供給される。なお、読み取りが終了した蓄積性蛍光体シートＩＰを一旦退避搬送路１０７に搬送し、その間に他の蓄積性蛍光体シートＩＰを読取搬送路１０４に供給し、並行して読取処理を行うこともできる。
【００９８】
消去搬送路１０９に供給された蓄積性蛍光体シートＩＰには、消去ユニット１３０を構成する消去光源１３４から消去光Ｑが照射され、残存する放射線画像情報が消去される。消去後の蓄積性蛍光体シートＩＰは、メイン搬送路１０２を介して枚葉部１００まで搬送された後、所定のカセッテ３０にもどされる。
【００９９】
残存する放射線画像情報が消去されて未撮影状態とされた蓄積性蛍光体シートＩＰを収納したカセッテ３０は、次の被写体１２の撮影に供するために、放射線画像撮影装置１４の設置部屋等に搬送される。
【０１００】
ここで、放射線画像情報読取装置１６の筐体８０のクレードル５４ｂに装着されている携帯端末４０ｂの表示部２２２上の表示について説明すると、図１０に示すように、カセッテ装填ユニット８４ａ〜８４ｄに対応して、番号「１」〜「４」が割り当てられ、カセッテ状態表示部８６ａ〜８６ｄの各ランプに対応して、カセッテ３０が装填可能であることを示す「装填可」の欄、カセッテ３０から取り出された蓄積性蛍光体シートＩＰが処理中であることを示す「処理中（読取中か消去中）」の欄、カセッテ３０が取出可能であることを示す「取出可能」の欄を設け、「○」の表示で、一目でカセッテ状態が分かるように表示している。これらの表示は、他の携帯端末４０ａ、４０ｃ〜４０ｇにより見ることが可能である。
【０１０１】
また、携帯端末４０ｂの他の表示として、図１１に示すように、放射線画像情報読取装置１６の装置情報（機器情報）として、「設置日時  ２００３／０１／０１」、「読取処理回数  …回」、「レーザ点灯累積時間  …Ｈ（Hours）」及び「消去ランプ点灯累積時間  …Ｈ」等を表示することができる。
【０１０２】
一方、放射線画像情報読取装置１６により読み取られた放射線画像情報と、これに対応する患者情報等を含む識別情報とが蓄積性蛍光体シートＩＰの識別ＩＤをキーとして関連づけられデータとしてデータ処理装置５８に転送されるとともに、そのデータがサーバ６４に転送され、このサーバ６４に蓄積記録される。
【０１０３】
データ処理装置５８は、放射線画像情報データに基づく被写体１２の患部の放射線画像及び患者名、患者ＩＤ等を表示器上に可視像として表示する。また、このとき、データ処理装置５８からプリント指示をプリンタ６０に送出することにより、プリンタ６０から被写体１２の患部の放射線画像及び患者名、患者ＩＤ等のハードコピーを出力することができる。
【０１０４】
ここで、プリンタ６０のクレードル５４ｃに装着されている携帯端末４０ｃの表示部２２２上の表示について説明すると、図１２に示すように、「フイルム残量  …枚」及び「現像液使用時間  …Ｈ」等が表示される。これらの表示は、他の携帯端末４０ａ、４０ｂ、４０ｄ〜４０ｇにより見ることが可能である。
【０１０５】
以上説明したように、上述した実施形態によれば、医用画像システム１０を構成する放射線画像撮影装置１４、放射線画像情報読取装置１６、及びプリンタ６０等にクレードル５４ａ〜５４ｇを介して携帯端末４０ａ〜４０ｇを脱着自在に装着している。
【０１０６】
そして、携帯端末４０ａ〜４０ｇの表示部２２２上に機器情報を表示しようとするとき、図１３のフローチャートのステップＳ１に示すように、該当する携帯端末４０ａ〜４０ｇの操作部２２６を操作して、機器情報を必要とする機器と内容を指定する。
【０１０７】
このとき該当する携帯端末４０ａ〜４０ｇは、ステップＳ２において、自身が携帯されているかクレードル５４ａ〜５４ｇに装着されているかどうかを判断する。この判断は、電源端子２１３に電源が供給されている場合あるいは通信インタフェース端子３１１がアクティブになっている場合に肯定とされる。
【０１０８】
該当する携帯端末４０ａ〜４０ｇが、装着されていると判断した場合、ステップＳ３において、装置本体から機器情報を通信インタフェース端子３１１を通じて受信し、ステップＳ４において、表示部２２２上に表示する。
【０１０９】
その一方、ステップＳ２において、装着されていないと判断した場合、ステップＳ５において、クレードル５４ａ〜５４ｇに装着されている他の携帯端末４０ａ〜４０ｇを呼び出し、他の携帯端末４０ａ〜４０ｇを通じて機器情報をワイヤレスで受信して、自己の表示部２２２上に表示する。なお、放射線画像撮影装置１４や放射線画像情報読取装置１６内に、ワイヤレス送受信機能を設けてもよい。
【０１１０】
このように、上述した実施形態によれば、放射線画像情報読取装置１６等の機器情報をワイヤレスで受信する携帯端末４０ａ〜４０ｇを備えているので、機器の設置場所に行かなくても、例えば「待機中」、「撮影中」、「異常停止中」等の機器情報を把握することができるという利便性が得られる。なお、「異常停止中」の場合には、例えば、「搬送途中でジャムが発生」等の内容も表示することができる。
【０１１１】
そのため、複数設置された機器毎の情報管理を迅速に行うことが可能となり、機器情報等を該当装置まで行き表示パネルを確認する作業が軽減される。その結果、医療従事者業務における機器対応処理の合理的な対応が可能となる。すなわち、場所に対する拘束が解消される。
【０１１２】
医療従事者は手元で携帯端末４０ａ〜４０ｇにより機器情報を入手できるとともに、本体装置上でも同様に機器情報を入手できることから、使い方を選択することができる。
【０１１３】
また、図１０に示したように、機器情報を文字と画像で表示することができるので、容易に内容を理解することができる。
【０１１４】
なお、必要に応じて、音声入出力部２２４を通じて音声出力を取り入れることができることはいうまでもない。
【図面の簡単な説明】
【０１１５】
【図１】この発明の実施形態が適用された医用画像システムの全体構成を示す説明図である。
【図２】図１例の医用画像システムのブロック図である。
【図３】携帯端末の電気回路ブロック図である。
【図４】クレードルの電気回路ブロック図である。
【図５】携帯端末とクレードルの外観構成を示す斜視説明図である。
【図６】蓄積性蛍光体シートを収納したカセッテの斜視図である。
【図７】放射線画像情報読取装置の内部構成を示す説明図である。
【図８】携帯端末の表示例（Ｘ線撮影）を示す説明図である。
【図９】携帯端末の表示例（使用中、使用可）を示す説明図である。
【図１０】携帯端末の表示例（カセッテ状態表示）を示す説明図である。
【図１１】携帯端末の表示例（装置情報）を示す説明図である。
【図１２】携帯端末の表示例（プリンタ）を示す説明図である。
【図１３】携帯端末の機器情報の受信の仕方例を説明するフローチャートである。
【符号の説明】
【０１１６】
１０…医用画像システム                １４…放射線画像撮影装置
１６…放射線画像情報読取装置          ４０ａ〜４０ｇ…携帯端末
５４ａ〜５４ｇ…クレードル
【図１】
2005087612.tif 000003
【図２】
2005087612.tif 000004
【図３】
2005087612.tif 000005
【図４】
2005087612.tif 000006
【図５】
2005087612.tif 000007
【図６】
2005087612.tif 000008
【図７】
2005087612.tif 000009
【図８】
2005087612.tif 000010
【図９】
2005087612.tif 000011
【図１０】
2005087612.tif 000012
【図１１】
2005087612.tif 000013
【図１２】
2005087612.tif 000014
【図１３】
2005087612.tif 000015